(57)【要約】【課題】永久磁石から電気量を得る方法。【解決手段】複数の永久磁石の同磁極を点、線、面で接触または近接させたときの磁場即ち素数磁場の素数磁束を整列分布させるために働く作用の作用積分をとりその変分原理から素数磁場の運動方程式を求めその解を数値化すると素数磁場に微細構造定数と微細構造定数の約３６９０倍の電磁力の結合定数が生み出され従って素数磁場に電気素量と電気素量の約３６９０倍の電気量が電荷の保存の法則により＋電気量と−電気量に時間変化して生み出されることにより課題は解決できる。【選択図】  図１
2012170171.tif 000002
【特許請求の範囲】
【請求項１】
複数の永久磁石の同磁極を点、線、面で接触または近接させたときの磁場即ち素数磁場の幾何構造であるト−ラス、球面への素数磁束の集合そして集合した素数磁束の不連続分布且つ環状分布即ち整列分布は整列分布を為すために働く作用の作用積分が極値をとるということと等価な関係で結ばれ、作用積分の極値を求める変分原理を素数磁場の運動方程式に書き換えてその解を求め解を数値化すると電磁力の結合定数である微細構造定数と微細構造定数の約３６９０倍の電磁力の結合定数が得られることにより素数磁場には電気素量ｅと電気素量の約３６９０倍の電気量Ｑが生み出され、生み出された電気量は電荷の保存の法則により＋電気量と−電気量に時間変化しているという理論的背景と素数磁場に電気量が生み出されていることを確認するための実験事実も存在するという実験的背景により永久磁石から電気量を得る方法。
【発明の詳細な説明】
【技術分野】
【０００１】
本発明は永久磁石の磁束を集合させ、集合した磁束を不連続分布且つ環状分布させることにより電気素量と電気素量の約３６９０倍の大きさの電気量を時間変化により＋電気量、−電気量として得る方法に関するものである。
【背景技術】
【０００２】
絶縁体は摩擦することにより静電気を生ずる。
【０００３】
電解質は電解液中ではイオンという荷電体を生ずる。  
【０００４】
これらの事実はもともと電気量を保有している中性な原子や分子が摩擦によるエネルギ−の作用とか、電気陰性度を安定化させるための作用により荷電体となることを意味している。
【０００５】
しかし永久磁石の磁束を集合させ、集合した磁束を不連続分布且つ環状分布させることにより電気量が得られるという物理事象は現段階では見当たらない。
【０００６】
複数の永久磁石の同磁極を点、線、面で接触または近接させたときの磁場即ち素数磁場の幾何構造はト−ラス、球面を為し素数磁束はその曲面上に集合し不連続分布且つ環状分布を為す。
【先行技術文献】
【特許文献】
【０００７】
【特許文献１】特願２００８−２５６９７９
【特許文献２】特願２００９−４２１８６
【特許文献３】特願２０１０−２０２６５９
【特許文献４】特願２０１０−２６４５２０
【非特許文献】
【０００８】
【非特許文献１】基礎数学ハンドブック  森北出版
【非特許文献２】コンパクト物理学ハンドブック  丸善出版
【発明の概要】
【発明が解決しようとする課題】
【０００９】
本出願人は永久磁石の磁束を集合させ、集合した磁束を不連続分布且つ環状分布即ち整列分布させれば電気量が生み出せると考えた。
【００１０】
そのように考えた理由は集合した磁束の整列分布は作用を生みまたは作用が与えられることにより集合した磁束の整列分布が得られると考え、そのときの作用を作用量子に対応させ磁束を磁束量子に対応させると作用量子と磁束量子はＱを比例定数として正比例の関係即ちＱ×（ｈ／ｅ）＝ｎｈ（Ｑは比例定数、ｈはプランク定数、ｅは電気素量、ｎは自然数）で結ばれ例えばｎ＝１のときはＱ＝ｅ、ｎ＝１０のときはＱ＝１０ｅという電気量が生み出されると考えたことによる。そして生み出された電気量は電荷の保存の法則により時間平均で零電荷となる必要があり従って＋電気量と−電気量が時間変化して生み出されると考えた。
【００１１】
従って発明が解決しようとする課題は、永久磁石の磁束を集合させ、集合した磁束が不連続分布且つ環状分布即ち整列分布を為す方法、そして集合した磁束の整列分布が電気量を生み出すことを説明する理論的背景並びに生み出された電気量の大きさを数値計算により求めること、そして電気量が生み出されていることを確認するための実験事実を記すことにより永久磁石から電気量を得る方法である。
【課題を解決するための手段】
【００１２】
本発明は永久磁石の磁束を集合させ、集合した磁束を整列分布させることにより電気量が生み出されるという物理事象であるから課題を解決するためには先ず永久磁石の磁束を集合させ、集合した磁束が整列分布を為す方法を解決しなければならない。
【００１３】
複数の永久磁石の同磁極を点、線、面で接触または近接させたときの磁場即ち素数磁場の幾何構造は特許文献１に記したようにト−ラス、球面を為し素数磁場の磁束即ち素数磁束はト−ラス、球面という曲面上に集合して整列分布を為している。磁束同志は反発しあう性質があり従って素数磁束が集合して整列分布を為すのは困難であると考えられるが特許文献２に記したように素数磁場には素数磁束を整列させようとする作用（ゼ−タ関数の作用）が働き素数磁束はト−ラス、球面に集合して整列分布を為す。
【００１４】
従って課題の永久磁石の磁束を集合させ、集合した磁束が整列分布を為す方法は素数磁場により解決できる。
【００１５】
次に集合した磁束の整列分布が電気量を生み出すことを説明する理論的背景について記す。前述した作用量子と磁束量子との正比例の関係より電気量が生み出されるという思考は観念的であることからより物理的に説明する必要がある。本出願人は素数磁場の幾何構造ト−ラス、球面の整列分布も含めて、集合した素数磁束の整列分布を為すために働く作用（ゼ−タ関数の作用）に注目し、特許文献３に記したようにその作用積分が極値をとるときの素数磁場の運動方程式を求めその解を積分領域を定めた定積分により解析することにより解としての素数磁場は電磁力の結合定数である微細構造定数とか重力の結合定数Ｇ、核力の結合定数、弱い力の結合定数を導き従って素数磁場には電磁力または電磁力の根源であるロ−レンツ力が生み出され従って素数磁場には磁気力の外に電気力も生み出され従って素数磁束の整列分布を為すために働く作用により電荷または電荷の量である電気量が生み出され、生み出された電気量は電荷の保存の法則により＋電気量と−電気量に時間変化している。
【００１６】
次に生み出された電気量の大きさを数値計算により求める。そのためには（特許文献４）に記した２階の行列を用いた常微分方程式即ち素数磁場の運動方程式を基準にして考える。計算方法は後述するが運動方程式の解としての素数磁場ｅｘｐ−ｉｌｎφ（ｋ）を複素数の絶対値計算を用いることにより１階の常微分方程式に書き換え、積分領域を定めた定積分とオイラ−定数Ｃの領域を考慮した定数項を用いて数値化するとｅｘｐ−ｉｌｎφ（ｋ）は数値化されて電磁力の結合定数である微細構造定数の数値１／１３７を導きそして素数磁束の縦方向から横方向えの取り換えにより、なおそのときの取換えの方法は時計回り方向と反時計回り方向の２方向を考慮してｅｘｐ−ｉｌｎφ（ｋ）の２乗を数値化すると微細構造定数の約３６９０倍の大きな結合定数２６，９２が求まる。結合定数２６，９２は（電気量Ｑ）×（電気素量ｅ）／（プランク定数×光速度）を意味すると考えられるからこれよりＱ＝１，７７×１０のマイナス６乗ｅｓｕと求められる。Ｑは電気素量の約３６９０倍の大きさである。従って素数磁場には電気素量ｅと電気素量の約３６９０倍の大きさの電気量Ｑが＋電気量と−電気量に時間変化して生み出されている。
【００１７】
次に素数磁場に電気量が生み出されていることを確認するための実験事実を記す。実験事実として素数磁場内の水銀（Ｈｇ）とか溶融鉛（Ｐｂ）は一般の空気中に置かれた場合と比較して速い速度でイオン化し酸化物をつくる。電圧計の一方の測定針を素数磁場内にもう一方の測定針を外に置くと電圧計の指針が微小にふれる。素数磁場内の化学反応特に酸化還元反応の反応速度が著しく上昇する。素数磁場内のコンデンサに電気量が蓄えられる等の現象が確認され、これらの実験事実は素数磁場内に電気量が生み出されていることを説明する。
【００１８】
以上の記述により複数の永久磁石の同磁極を点、線、面で接触または近接させたときの磁場即ち素数磁場の幾何構造であるト−ラス、球面への素数磁束の集合そして集合した素数磁束の不連続分布且つ環状分布即ち整列分布は整列分布を為すために働く作用（ゼ−タ関数の作用）の作用積分が極値をとるということと等価な関係で結ばれ、作用積分の極値を求める変分原理を素数磁場の運動方程式に書き換えてその解を求め、解を数値化すると微細構造定数と微細構造定数の約３６９０倍の電磁力の結合定数が得られることにより素数磁場には電気素量と電気素量の約３６９０倍の電気量が生み出され、生み出された電気量は電荷の保存の法則により＋電気量と−電気量に時間変化しているという理論的背景と素数磁場に電気量が生み出されていることを確認するための実験事実も存在するという実験的背景により永久磁石から電気量を得ることができる。
【００１９】
従って課題である永久磁石から電気量を得る方法を解決するための手段は、複数の永久磁石の同磁極を点、線、面で接触または近接させたときの磁場即ち素数磁場を実現することにある。
【発明の効果】
【００２０】
本発明によれば、空気中の酸素に素数磁場で生み出された電気量を及ぼすことにより有害な放射線を遮蔽するオゾンを簡単に作れる効果を有する。
【００２１】
本発明によれば、電池反応としての電極反応を効率化する効果を有する。
【図面の簡単な説明】
【００２２】
【図１】縦方向に磁化した永久磁石から電気量を得る図である。
【図２】横方向に磁化した永久磁石から電気量を得る図である。
【発明を実施するための形態】
【００２３】
本発明の永久磁石から電気量を得る方法は素数磁場の運動方程式を解析することにより求められるから発明を実施するためには運動方程式の解析を記述する必要がある。
【００２４】
素数磁場の運動方程式は（特許文献３）、（特許文献４）に記した変分原理の概念を有する素数場理論即ち素数に関する数論式の因数を物理量に対応させて物理事象を求める理論により導かれることより既に素数磁束の集合そして集合した素数磁束の不連続分布且つ環状分布即ち整列分布の概念を含んでいる。
【００２５】
従って本出願人は（特許文献４）に記した素数磁場の運動方程式（数式１）を解析することにより素数磁場に電気量が生み出されるという物理事象が説明できると考えた。（数式１）を（数式２）と（数式３）に分離する。
【００２６】
【数１】
2012170171.tif 000003
【００２７】
【数２】
2012170171.tif 000004
【００２８】
【数３】
2012170171.tif 000005
【００２９】
（数式２）の解を求めるために複素数の絶対値計算を用いて１階の常微分方程式に書き換えそして積分領域を素数対応数値０，５６１８２９５の素数磁場即ち極小領域のφ（ｋ）（数式４）と素数７の素数磁場のφ（ｋ）（数式５）とによる定積分を用いてそして極小領域と素数７の領域の間にはオイラ−定数Ｃの領域が存在することによりＣの領域を考慮した定数項Ｍ（Ｃ）×ｅｘｐＣ（数式６）を用いて解を数値化すると（数式７）となる。尚Ｍ（Ｃ）×ｅｘｐＣは自然対数の底ｅのベキ乗の項を物理的に無次元化するためでもある。
【００３０】
【数４】
2012170171.tif 000006
【００３１】
【数５】
2012170171.tif 000007
【００３２】
【数６】
2012170171.tif 000008
【００３３】
【数７】
2012170171.tif 000009
【００３４】
（数式７）は自然界の基準的な場と考える素数磁場に電磁力の結合定数である微細構造定数が生み出されることを数値計算により示している。従って素数磁場には電磁力または電磁力の根源であるロ−レンツ力が生み出されることにより素数磁場に電気素量ｅが生み出される。尚微細構造定数と電気素量を結びつける代数式は後述する。
【００３５】
次に素数磁束の縦方向から横方向えの取り換えを考え（数式７）の自然対数の底ｅのベキ乗のル−トの定数項を素数磁束の縦、横取り換えを意味する（数式８）に書き換えそして取り換えの方法は時計回り方向と反時計回り方向を考慮して解の２乗を数値化すると（数式９）となる。
【００３６】
【数８】
2012170171.tif 000010
【００３７】
【数９】
2012170171.tif 000011
【００３８】
（数式９）の数値２６，９２も電磁力の結合定数を表示していると考えると（数式１０）が成立する。（数式１０）のＱは素数磁場に生み出される電気素量とは大きさが異なる電気量であり計算の結果Ｑは１，７７×１０のマイナス６乗ｅｓｕとなり電気素量の約３６９０倍の電気量となる。つまり素数磁場には電気素量と電気素量の約３６９０倍の電気量が生み出されていると考えることができる。尚２６，９２という電磁力の結合定数とＱを結びつける代数式は後述する。
【００３９】
【数１０】
2012170171.tif 000012
【００４０】
このような大きな電気量が生み出されることは奇異に思われる。しかし２６，９２という数値は微細構造定数と、素数に関する数論式の基準的形式である（数式１１）で結ばれる。従って本出願人は２６，９２という数値は基準的な物理定数の一つであると考える。
【００４１】
【数１１】
2012170171.tif 000013
【００４２】
このようにして素数磁場に生み出された微細構造定数と大きな結合定数２６，９２が電気素量ｅと電気量Ｑとどのように結びつくかについては数値計算を満足する代数式（数式１２）と（数式１３）が求まることより微細構造定数は電気素量ｅを導き、大きな結合定数２６，９２は電気量Ｑを導く。また計算方法は省略するが（数式１２）をｌｎｅに関する２次方程式に書き換え電気量の数値を求めると電気素量と１，９×１０のマイナス６乗が求まり１，９×１０のマイナス６乗はＱ＝１，７７×１０のマイナス６乗とは若干数値が異なるが物理的には容認できると考える。
【００４３】
【数１２】
2012170171.tif 000014
【００４４】
【数１３】
2012170171.tif 000015
【００４５】
（数式２）よりこのようにして微細構造定数と大きな電磁力の結合定数、そして電気素量と大きな電気量Ｑが求まるがこのような計算方式が自然界の物理事象を表示するのに正しいかどうかを確認するためには（数式３）も自然界の力の結合定数を導く必要がある。
【００４６】
（数式３）についても前述したと同じ方法で解を定数因数Ｃ／２を用いて数値化すると（数式１４）となる。そして素数磁束の縦方向から横方向えの取り換えを考慮して解の２乗を数値化すると（数式１５）となる。（数式１４）は数値計算により重力の結合定数Ｇとなり（数式１５）は核力の結合定数となっている。
【００４７】
【数１４】
2012170171.tif 000016
【００４８】
【数１５】
2012170171.tif 000017
【００４９】
これまでに記述した内容を簡単にまとめると素数磁場の運動方程式（数式１）より導かれる（数式２）は素数磁場に電磁力の結合定数である微細構造定数と大きな電磁力の結合定数が生み出されることを説明し、（数式１２）は微細構造定数から電気素量が導かれることを説明し、（数式１３）は大きな電磁力の結合定数から大きな電気量が導かれることを説明する。そして（数式１）より導かれる（数式３）は素数磁場に重力の結合定数Ｇと核力の結合定数が生み出されることを説明する。
【００５０】
しかし（数式１）は素数磁束の縦方向から横方向えの取り換えを考慮しない核力の結合定数と弱い力の結合定数は導かない。その理由を考える。（数式１）の微分作用素はφ（ｋ）表示であることより、素数に関する数論式と素数磁場の幾何構造との対比の関係により（数式１）は球面での運動方程式とみなすことができる。しかし素数磁場にはト−ラスという幾何構造も存在する。従って（数式１）のφ（ｋ）表示の微分作用素を球面とト−ラスの取り換えを意味するλ（ｋ）表示の微分作用素に書き換えた運動方程式に書き換えると上記の核力の結合定数と弱い力の結合定数が導かれると考えられる。φ（ｋ）表示の運動方程式をλ（ｋ）表示の運動方程式に書き換えるには計算方法は省略するがφ（ｋ）を縦方向から横方向え取り換えて素数磁場の量ｅｘｐ−ｉｌｎφ（ｋ）をｅｘｐ（ｉｌｎλ（ｋ）＋π）に書き換えてそして（数式１）の行列を逆行列にすることによりλ（ｋ）表示の運動方程式（数式１６）が求まる。
【００５１】
【数１６】
2012170171.tif 000018
【００５２】
（数式１６）を（数式１７）と（数式１８）に分離する。結果のみを記すが（数式１７）の解を定数因数πの２乗を用いて数値化すると（数式１９）となる。そして（数式１８）の解を定数因数πの２乗分の１を用いて数値化すると（数式２０）となる。
【００５３】
【数１７】
2012170171.tif 000019
【００５４】
【数１８】
2012170171.tif 000020
【００５５】
【数１９】
2012170171.tif 000021
【００５６】
【数２０】
2012170171.tif 000022
【００５７】
以上の記述により（数式１）は電磁力の結合定数である微細構造定数と重力の結合定数Ｇを、そして素数磁束の縦方向から横方向えの取り換えにより大きな電磁力の結合定数と核力の結合定数を導き（数式１６）は核力の結合定数と弱い力の結合定数を導き従って微細構造定数と重力の結合定数は球面に、大きな電磁力の結合定数と核力の結合定数と弱い力の結合定数はト−ラスに生み出されると考えることができる。従って電気素量ｅは球面に、電気素量の約３６９０倍の大きな電気量Ｑはト−ラスに＋電気量と−電気量に時間変化して生み出されると考えることができる。
【００５８】
従って電気素量ｅと電気素量の約３６９０倍の大きな電気量Ｑは素数磁場の幾何構造上に＋電気量と−電気量に時間変化して生み出されるから、発明を実施するための形態は複数の永久磁石の同磁極を点、線、面で接触または近接させたときの磁場即ち素数磁場から電気量を得ることにある。
【産業上の利用可能性】
【００５９】
本発明では素数磁場に電気量が生み出されることにより生み出された電気量を化学反応に及ぼすことにより化学物質の製造などの触媒作用として利用できる可能性がある。
【符号の説明】
【００６０】
１      永久磁石
２      素数磁場の極小領域
３      オイラ−定数Ｃの領域
４      素数磁場の素数７の領域
５      素数磁場に時間変化により生み出される＋電気量と−電気量
【図１】
2012170171.tif 000023
【図２】
2012170171.tif 000024